(57)【要約】【課題】筐体へ基板の縦横の位置決め及び一時的な保持が容易にできる基板取付構造を提供する。【解決手段】コネクタを備えるコネクタ台が実装された基板４を筐体２の内側に取り付ける基板取付構造において、コネクタの形状及び位置に対応して端子孔が穿設され、コネクタ台に螺着された基板取付体８を備えており、縦移動域を制限して案内する縦位置決めリブ３ａ、３ａが、筐体２の内側に二個並設されており、横移動域を制限して案内する横位置決めリブ３ｂ、３ｂが、縦位置決めリブ３ａの下側に二個配設されており、基板取付体８は、横位置決めリブ３ｂ、３ｂが係合する係合孔８ｄ、８ｅを有し、縦位置決めリブ３ａは基板４の上面と当接可能になっており、縦位置決めリブ３ａ、３ａ及び横位置決めリブ３ｂ、３ｂが基板取付体８付き基板４を保持し、横位置決めリブ３ｂ、３ｂが基板取付体８付き基板４を支持して一時的に保持する。【選択図】図６
2008300413.tif 000002
【特許請求の範囲】
【請求項１】
コネクタを備えるコネクタ台が実装された基板を該コネクタ台の実装面を下向きにして筐体の内側に取り付ける基板取付構造において、
前記基板を前記筐体に取り付ける基板取付体を備え、
該基板取付体は、前記コネクタの形状及び位置に対応する端子孔と複数の係合孔とが穿設され、前記端子孔に前記コネクタが挿通して前記コネクタ台に固定されており、
前記筐体は、
該筐体に前記基板取付体を取り付ける取付孔と、
前記端子孔に対応する孔と、
前記基板取付体の上面に当接して前記基板取付体の縦の位置決めをする複数の縦位置決め部と、
該縦位置決め部の下側に配設されて前記係合孔に各係合し、前記基板取付体の横の位置決めをする複数の横位置決め部と
を備えることを特徴とする基板取付構造。
【請求項２】
前記縦位置決め部は、前記筐体から突出する突出体からなることを特徴とする請求項１に記載の基板取付構造。
【請求項３】
前記横位置決め部は、前記筐体から突出する突出体からなることを特徴とする請求項１に記載の基板取付構造。
【請求項４】
前記横位置決め部は、前記筐体から突出する一対の矩形板からなることを特徴とする請求項１に記載の基板取付構造。
【請求項５】
前記基板及び基板取付体は矩形板状をなし、
前記基板取付体は、前記基板の端部に前記筐体に対面して配設されていることを特徴とする請求項１乃至４のいずれか一つに記載の基板取付構造。
【請求項６】
前記係合孔は、矩形状をなすことを特徴とする請求項１乃至５のいずれか一つに記載の基板取付構造。
【請求項７】
請求項１乃至６のいずれか一つに記載の基板取付構造を備えることを特徴とする投射型映像表示装置。
【発明の詳細な説明】
【技術分野】
【０００１】
本発明は、基板を筐体に取り付ける基板取付構造及び該基板取付構造を備える投射型映像表示装置に関する。
【背景技術】
【０００２】
従来、映像及び音声などのコネクタを備えた機器では、筐体の背面又は側面等にコネクタ用の孔が穿設され、コネクタが取り付けられた基板は、コネクタ用の孔の位置に合わせて筐体の内側にコネクタに近い位置でビスにより固定されており、コネクタにケーブル端子を抜き差しするとき、コネクタを介して基板にかかる力を減じるようにしている。
【０００３】
筐体と基板との位置合わせをして基板を筐体に取り付ける基板取付構造として、以下の提案がある。
特許文献１に示す例では、筐体正面側の内壁に、横向きに延びる係止溝と、側面視矩形板状のリブとを形成して、リブ先端に突出部を下向きに設けており、電気部品を搭載し、かつ、嵌挿孔を穿設した平面視矩形状の基板の端部を係止溝に嵌入させて保持させ、突出部を嵌挿孔に嵌めて、電気部品の位置決め精度を向上させている。
特許文献２に示す例では、基板を挟み込んで保持するための上下一対の舌片を筐体の内壁の横方向二箇所に設け、基板を取り付けるときの位置決め用の突起部を両舌片の二箇所の位置の中央に一個設けており、基板の一端部を位置決め用の突起部に当て、基板を上下の舌片で挟み込んで保持し、他端部を固定金具で螺子止めしている。
【０００４】
特許文献３に示す例では、長手方向を横向きにした複数の直方体状のコネクタ台が、コネクタ台用の基板の上面に配設されている。筐体の正面側の内壁には、コネクタ台の上面に当接する複数本のリブと、コネクタ台の長手寸法と同程度の間隔を開けた位置決めリブとを設けており、コネクタ台を位置決めリブに嵌合させることにより、コネクタ台の位置決めをして、位置決めリブでコネクタ台用の基板を保持できるようにしている。
特許文献４に示す例では、基板の一端部に切り欠きを設け、基板の切り欠きに対応する筐体の内壁に爪部を突設しており、基板を筐体に組み込むとき、基板の切り欠きを筐体の爪部に係合させることにより、基板を筐体に対して位置決めしている。
【特許文献１】実開平３−５３８８６号公報
【特許文献２】実開平３−１６３９０号公報
【特許文献３】特開２００５−６４４１６号公報
【特許文献４】特開２００１−２５１０７０号公報
【発明の開示】
【発明が解決しようとする課題】
【０００５】
しかしながら特許文献１のような構造では、筐体正面側の内壁のリブ先端の突出部が基板の嵌挿孔に嵌るので基板の縦横方向の位置決めをすることは容易にできるが、基板を係止溝に嵌入させて保持するため、基板にストレスがかかり、半田付け部のクラックの原因となるおそれがある。
また特許文献２のような構造では、筐体の内壁の突起部により基板の縦方向の位置決めが容易にでき、また二箇所にある上下一対の舌片で基板を挟み込むので基板の保持が容易にできるが、横方向の位置決めをする構造がないので横方向の位置決めが困難である。
特許文献３のような構造では、コネクタ台の上面が複数本のリブに当接し、コネクタ台の左右両端が位置決めリブ間に嵌合するので縦横の位置決め及びコネクタ台用の基板の保持は容易にできるが、基板がコネクタ台用であるため汎用性の点で改善の余地がある。
さらに特許文献４のような構造では、筐体の爪部と基板の切り欠きとで横方向の位置決めは容易にできるが、縦方向の位置決めをする構造がないので縦方向の位置決めが困難であり、また基板をビス止め固定するまでの間、基板を一時的に保持する構造がなく改善の余地がある。
【０００６】
したがって、基板取付構造としては、筐体における基板の縦横の位置決めが容易にできて、一時的に基板を保持するとき、基板の半田付け部にストレスがかからず、半田付け部のクラックの原因となるおそれがない構造が望まれている。
【０００７】
本発明は、このような事情に鑑みてなされたものであって、その目的とするところは、筐体の縦及び横位置決め部に係合して、基板を筐体に取り付ける基板取付体を備えることにより、筐体への基板の縦横の位置決め及びストレスのかからない一時的な保持ができる基板取付構造及び投射型映像表示装置を提供することにある。
【課題を解決するための手段】
【０００８】
本発明の基板取付構造は、コネクタを備えるコネクタ台が実装された基板を該コネクタ台の実装面を下向きにして筐体の内側に取り付ける基板取付構造において、前記基板を前記筐体に取り付ける基板取付体を備え、該基板取付体は、前記コネクタの形状及び位置に対応する端子孔と複数の係合孔とが穿設され、前記端子孔に前記コネクタが挿通して前記コネクタ台に固定されており、前記筐体は、該筐体に前記基板取付体を取り付ける取付孔と、前記端子孔に対応する孔と、前記基板取付体の上面に当接して前記基板取付体の縦の位置決めをする複数の縦位置決め部と、該縦位置決め部の下側に配設されて前記係合孔に各係合し、前記基板取付体の横の位置決めをする複数の横位置決め部とを備えることを特徴とする。
【０００９】
このような構成の本発明の基板取付構造では、基板に実装しているコネクタ台のコネクタが基板取付体の端子孔に嵌挿し又は対向して、コネクタ台に基板取付体が固定され、基板が基板取付体に取り付けられる。
基板を筐体に取り付ける場合、コネクタ台の実装面を下向きにして基板を取り付けた基板取付体から突出するコネクタを筐体の内側から筐体の孔に向けて嵌挿していくとき、筐体の縦位置決め部が、各位置で基板取付体の上面と当接して基板取付体を案内し、縦移動域を制限して縦の位置決めをする。
縦位置決め部が基板取付体を案内すると同時に、筐体の横位置決め部が、各位置で基板取付体の各係合孔に係合して基板取付体を案内し、横移動域を制限して横の位置決めをする。
縦位置決め部が基板取付体の上面に当接し、横位置決め部が基板取付体の係合孔に係合して、基板取付体の縦横の位置決めをしたとき、コネクタが筐体の孔に嵌挿し又は対向する。
横位置決め部は、基板取付体を支持して基板を筐体に一時的に保持し、基板の重量が基板取付体を介して横位置決め部にかかる。
【００１０】
本発明の基板取付構造は、前記縦位置決め部は、前記筐体から突出する突出体からなることを特徴とする。
【００１１】
このような構成の本発明の基板取付構造では、基板を筐体に取り付ける場合、縦位置決め部である突出体の最下部が、基板取付体の上面と当接して基板取付体の縦移動域を制限し、縦の位置決めをして基板取付体を案内し、縦位置決め部及び横位置決め部が基板取付体を保持して基板を筐体に一時的に保持する。
【００１２】
本発明の基板取付構造は、前記横位置決め部は、前記筐体から突出する突出体であることを特徴とする。
【００１３】
このような構成の本発明の基板取付構造では、基板を筐体に取り付ける場合、横位置決め部である突出体の外郭が基板取付体の係合孔に係合し、基板取付体の横移動域を制限して基板取付体を案内し、縦位置決め部及び横位置決め部が基板取付体を保持して基板を筐体に一時的に保持する。
【００１４】
本発明の基板取付構造は、前記横位置決め部は、前記筐体から突出する一対の矩形板からなることを特徴とする。
【００１５】
このような構成の本発明の基板取付構造では、基板を筐体に取り付ける場合、横位置決め部である平行な一対の矩形板の外郭が基板取付体の係合孔に係合し、基板取付体の横移動域を制限して基板取付体を案内し、縦位置決め部及び横位置決め部が基板取付体を保持して基板を筐体に一時的に保持する。
【００１６】
本発明の基板取付構造は、前記基板及び基板取付体は矩形板状をなし、前記基板取付体は、前記基板の端部に前記筐体に対面して配設されていることを特徴とする。
【００１７】
このような構成の本発明の基板取付構造では、基板を筐体に取り付ける場合、縦位置決め部が基板取付体の上面に当接し、横位置決め部が基板取付体の係合孔に係合して基板取付体を案内し、基板取付体の背面が筐体に密接するところまで達する。縦位置決め部及び横位置決め部が基板取付体を保持して基板を筐体に一時的に保持した状態になる。
【００１８】
本発明の基板取付構造は、前記係合孔は、矩形状をなすことを特徴とする。
【００１９】
このような構成の本発明の基板取付構造では、基板を筐体に取り付ける場合、縦位置決め部が基板取付体の上面に当接し、横位置決め部が係合孔の横縁及び縦縁と係合して基板取付体の横移動域を制限して案内し、縦位置決め部及び横位置決め部が基板取付体を保持して基板を筐体に一時的に保持する。
【００２０】
本発明の投射型映像表示装置は、前述の基板取付構造を備えることを特徴とする。
【００２１】
このような構成の本発明の投射型映像表示装置では、基板に実装しているコネクタ台のコネクタが基板取付体の端子孔に嵌挿して突出し、コネクタ台に基板取付体が固定され、基板が基板取付体に取り付けられる。
基板を投射型映像表示装置の筐体に取り付ける場合、基板の実装面を下向きにして基板を取り付けた基板取付体から突出するコネクタを筐体の内側から筐体の孔に向けて嵌挿していくとき、縦位置決め部が基板取付体の上面に当接し、横位置決め部が基板取付体の係合孔に係合して、基板取付体の縦横の位置決めをする。コネクタが筐体の孔に嵌挿し、縦位置決め部及び横位置決め部が、基板取付体を保持する。
横位置決め部は、基板取付体を支持して基板を投射型映像表示装置の筐体に一時的に保持する。その後、例えばビス止めにより基板取付体が筐体に固定される。
【発明の効果】
【００２２】
本発明の基板取付構造は、縦及び横位置決め部に係合して、基板を筐体に取り付ける基板取付体を有しているので、筐体への基板の縦横の位置決めが容易にでき、基板取付体を介して筐体に基板を一時的に保持することができるという効果を有する。
したがって、本発明の基板取付構造は、基板に実装されたコネクタ台に固定される程度の大きさの基板取付体を介して筐体に基板を保持することにより、基板の半田付け部にストレスをかけずに筐体に一時的に保持することができる。その後、筐体の取付孔を通して基板取付体を筐体に固定できる。
【００２３】
また本発明の投射型映像表示装置は、筐体における基板の縦横の位置決めが容易にできるという効果を有する。さらに、コネクタ台を実装している基板が他の電子部品を実装している基板と共通の大基板の場合、基板取付体を筐体に一時的に保持しても基板の半田付け部にストレスがかからず、半田付け部のクラックの原因となるおそれがないという効果を有する。
【発明を実施するための最良の形態】
【００２４】
以下、図面に基づき、本発明による基板取付構造を備える投射型映像表示装置を例に挙げて好適な実施の形態を説明する。
図１は本実施の形態に係る投射型映像表示装置の筐体背面部の内側を示す斜視図、図２は基板と筐体背面部の内側との位置関係を示す斜視図、図３はコネクタを配設した基板及び基板取付体を示す分解斜視図である。
本実施の形態に係る筐体２は、合成樹脂製の矩形箱状をなし、筐体背面部２ａにコネクタ用の孔２ｂが、コネクタ６に対応して複数穿設されている。筐体背面部２ａの上縁部２ｃの内側に側面視台形状の縦位置決めリブ３ａ、３ａが横方向に二個並設されており、縦位置決めリブ３ａは、上面３ａ１と下面３ａ２とが平行で傾斜面３ａ３が下向きになっている。
縦位置決めリブ３ａ、３ａの上面３ａ１は、筐体背面部２ａの上端面２ｃと面一になっており、一方の縦位置決めリブ３ａは、横方向のほぼ中央に位置し、他方の縦位置決めリブ３ａは、筐体背面部２ａの横幅の１／３程度の間隔だけ一側方へ離間している。
【００２５】
縦位置決めリブ３ａ、３ａのそれぞれの下側に、横位置決めリブ３ｂ、３ｂが各突設されている。横位置決めリブ３ｂは、上下方向に長い側面視矩形状をなす同寸の平板３ｂ１、３ｂ１からなり、一対の平板３ｂ１、３ｂ１が縦向きに平行になっている。平板３ｂ１は、筐体２から３ｍｍ程度突き出ており、縦方向の長さが１０ｍｍ程度である。一対の平板３ｂ１、３ｂ１の離間寸法は、縦位置決めリブ３ａの横幅寸法と同じである。
縦位置決めリブ３ａ及び横位置決めリブ３ｂは、筐体背面部２ａと一体成形されている。
【００２６】
基板４は平面視矩形板状をなし、電子部品５及びコネクタ台６ａが基板４の下面に実装されている。コネクタ６は、例えば音声入出力端子、ビデオ入力端子等であり、直方体状のコネクタ台６ａの背面に備えられている。コネクタ台６ａはコネクタ６を埋設しており、コネクタ６の接続部が後ろ向きに突出又は露出している。
コネクタ６の種類に応じて、一個のコネクタ台６ａに一個又は複数のコネクタ６が取り付けられている。図３に示す例では、三個のコネクタ台６ａ、６ａ、６ａが、基板４の下面の後部側（筐体２の背面側）の縁部４ａに沿って背面を揃えて並設されている。
筐体背面部２ａのコネクタ用の孔２ｂは、基板４のコネクタ台６ａに備えるコネクタ６の位置及び形状に対応している。
【００２７】
図４は本実施の形態に係る基板取付体を示す斜視図、図５はコネクタ台に取り付けた基板取付体を示す背面図である。
基板４の横幅とほぼ同じ横幅寸法の基板取付体８は、金属製であり、横長の背面視矩形板状をなしている。基板取付体８には、基板４に配設された各コネクタ台６ａに備えるコネクタ６の個数、位置及び形状に対応して、複数の端子孔８ａが穿設されている。基板取付体８の両側部には、一対のアングル８ｂ、８ｂが前側に突設されており、アングル８ｂの横向き内側の脚８ｂ１の上端面に爪状の突起８ｃが上向きに突設されている。
基板４の後部を基板取付体８の前面に当接させ、一対のアングル８ｂ、８ｂの上端面に基板４の後部の両側下面を当接させたとき、基板４の後縁の両端部に穿設された孔４ｂ、４ｂ（図７を参照）に突起８ｃ、８ｃが下側から嵌入して、基板４に対する基板取付体８の位置が決まるようになっており、基板取付体８の上端面と基板４の上面とが面一になっている。
【００２８】
基板取付体８は、コネクタ台６ａにビス６ｂ１、６ｂ１で螺着されており、各端子孔８ａに各コネクタ６が嵌挿又は対向している。
【００２９】
基板取付体８を筐体背面部２ａの内側に当接させたとき、横位置決めリブ３ｂ、３ｂが係合する矩形状の係合孔８ｄ、８ｅが、基板取付体８に穿設されており、一方の係合孔８ｄの下縁が開放されている。他方の係合孔８ｅに下縁はあるが、下縁側に部品を取り付けるためであり、同形状にしてもよい。
【００３０】
係合孔８ｄの上縁８ｄ１は、横位置決めリブ３ｂをなす平板３ｂ１、３ｂ１の両上面部に当接して基板取付体８を支持し、係合孔８ｄの各縦縁８ｄ２、８ｄ３は、一対の平板３ｂ１、３ｂ１の外方を向く各側面に当接して横位置決めをしている。
さらに係合孔８ｅの上縁８ｅ１は、一対の平板３ｂ１、３ｂ１の両上面部に当接して基板取付体８を支持し、縦縁８ｅ２、８ｅ３は、一対の平板３ｂ１、３ｂ１の外方を向く各側面に当接して横位置決めをしており、基板取付体８が縦位置決めリブ３ａ、３ａ及び横位置決めリブ３ｂ、３ｂにより保持されている。横位置決めリブ３ｂ、３ｂは基板取付体８を支持して一時的に保持している。
【００３１】
基板取付体８には、基板取付体８自体を筐体背面部２ａの外側からビス６ｂ２（図８参照）で固定するための雌螺子孔８ａ３が、横方向の適宜の位置に複数個設けられている（図４参照）。
また、三個のうち二個のコネクタ台６ａの背面の両縁には、それぞれ基板取付体８をコネクタ台６ａにビス６ｂ１、６ｂ１で固定するための雌螺子孔６ａ１、６ａ１が設けられている。残り一個のコネクタ台６ａの背面の中央部には、基板取付体８が取り付けられた基板４を筐体背面部２ａの外側からビス６ｂ２で固定するための雌螺子孔６ａ２が設けられている。
各雌螺子孔６ａ１、６ａ２に対応して、基板取付体８に取付孔８ａ１、８ａ２が穿設されており、各雌螺子孔６ａ２、８ａ３に対応して、筐体背面部２ａに取付孔２ａ２が複数個穿設されている。
【００３２】
次に本実施の形態の取り付け方法及び作用を説明する。
図６は基板に実装されたコネクタ台に取り付けた基板取付体及び筐体背面部を内側から視た状態を示す部分概略図、図７は筐体背面部の内側に取り付けた基板取付体付きの基板を示す斜視図、図８は筐体の背面端子部を示す斜視図である。
先ず、基板４に実装したコネクタ台６ａに基板取付体８を固定する場合、基板取付体８のアングル８ｂ、８ｂの上端面に基板４の後部を載せたとき、アングル８ｂ、８ｂの各突起８ｃ、８ｃが下側から基板４の孔４ｂ、４ｂに嵌入し、基板４の基板取付体８における位置を決め、コネクタ６が端子孔８ａに嵌挿して突き出て、基板取付体８の前面がコネクタ台６ａの背面に当接する。ビス６ｂ１が基板取付体８の取付孔８ａ１を挿通してコネクタ台６ａの雌螺子孔６ａ１に螺合して、基板取付体８がコネクタ台６ａに螺着する。
【００３３】
次に、基板取付体８付きの基板４を水平にして筐体背面部２ａのコネクタ用の孔２ｂからコネクタ６が突き出るようにして挿入していくとき、縦位置決めリブ３ａの下面３ａ２が基板４の上面及び基板取付体８の上端面に当接して基板４を案内し、縦移動域を制限して位置決めをする。縦位置決めリブ３ａが基板４を案内すると同時に、横位置決めリブ３ｂ、３ｂのそれぞれの平板３ｂ１、３ｂ１の上面がそれぞれの係合孔８ｄ、８ｅの上縁８ｄ１、８ｅ１に当接し、一方の横位置決めリブ３ｂの平板３ｂ１、３ｂ１の外方を向く各側面が、それぞれ係合孔８ｄの縦縁８ｄ２、８ｄ３に当接し、他方の横位置決めリブ３ｂの平板３ｂ１、３ｂ１の外方を向く各側面が、それぞれ係合孔８ｅの縦縁８ｅ２、８ｅ３に当接する。横位置決めリブ３ｂ、３ｂは、それぞれ基板取付体８の係合孔８ｄ、８ｅに係合して基板取付体８を案内し、横移動域を制限して位置決めをする。
このようにして、縦位置決めリブ３ａ、３ａが、筐体背面部２ａにおける基板取付体８付き基板４の縦方向の位置決めをし、横位置決めリブ３ｂ、３ｂが横方向の位置決めをする。
【００３４】
次いで、基板取付体８が筐体背面部２ａの内側に当接して、筐体２の孔２ｂにコネクタ６が嵌挿して筐体背面部２ａの外側に突き出たとき、縦位置決めリブ３ａ、３ａ及び横位置決めリブ３ｂ、３ｂが基板取付体８付きの基板４を保持する。横位置決めリブ３ｂ、３ｂは基板取付体８付きの基板４を支持して一時的に保持する。
【００３５】
最後に、ビス６ｂ２、６ｂ２が筐体背面部２ａの外側から取付孔２ａ２、２ａ２を挿通してコネクタ台６ａの雌螺子孔６ａ２及び基板取付体８の雌螺子孔８ａ３に螺合し、基板取付体８付き基板４が筐体背面部２ａに内側から螺着する。
【００３６】
このような実施の形態に係る基板取付構造では、基板取付体８付き基板４の筐体背面部２ａにおける縦横の位置決め及び一時的な保持を容易にすることができる。
さらに本実施の形態では、縦位置決めリブ３ａ、３ａ及び横位置決めリブ３ｂ、３ｂが基板４を基板取付体８で保持し、横位置決めリブ３ｂ、３ｂが基板取付体８とともに基板４を支持して一時的に保持することができる。
したがって、本実施の形態では、基板４を基板取付体８を介して筐体２に一時的に保持しているので、基板４にストレスがかからない。
【００３７】
なお、本実施の形態では、基板取付体８の係合孔８ｄ、８ｅを矩形状にしたが、縦長丸孔状にしてもよく、また縦長丸孔として、下縁を開放してもよい。
さらに本実施の形態では、縦位置決めリブ３ａは側面視台形状としたが、これに限らず、角柱状又は円柱状等の柱状のものでもよく、下面が基板４の上面と当接可能な部分を有するものであればよい。換言すれば、縦位置決めリブ３ａは、筐体２から突出する突出体からなるものであればよい。
また、横位置決めリブ３ｂとしては一対の平板３ｂ１、３ｂ１を突設したが、側面が筐体背面部２ａに対して垂直形状であるのが好ましく、角柱又は円柱等の柱状のものを突出させた突出体からなるようにしてもよい。さらに、係合孔８ｄの下縁が開放されているが、開放されていなくてもよく、矩形状の係合孔としてもよい。
【００３８】
以上のように、本発明の基板取付構造は、筐体の柱状の縦位置決め部に基板取付体の上面を当接させているので、縦移動域を制限して筐体への基板の縦横の位置決めが容易にでき、基板取付体を介して筐体に基板を一時的に保持することができる。
【００３９】
また本発明の基板取付構造は、筐体の柱状の又は平行な一対の矩形平板状の横位置決め部を有しているので、横位置決め部の外郭が基板取付体の係合孔に係合して、基板取付体の横移動域を制限して筐体への基板の縦横の位置決めが容易にでき、基板取付体を介して筐体に基板を一時的に保持することができる。
【００４０】
さらに本発明の基板取付構造は、基板を筐体に取り付ける基板取付体が筐体に当接するので、基板取付体が筐体に当接したとき、縦位置決め部及び横位置決め部が基板取付体を保持して、筐体への基板の一時的な保持が容易にできる。
【００４１】
また本発明の基板取付構造は、基板取付体に矩形状の係合孔を有しているので、基板取付体の横移動域を容易に制限して筐体への基板の縦横の位置決めが容易にでき、基板取付体を介して基板を筐体に一時的に保持することができる。
【図面の簡単な説明】
【００４２】
【図１】本実施の形態に係る投射型映像表示装置の筐体背面部の内側を示す斜視図である。
【図２】基板と筐体背面部の内側との位置関係を示す斜視図である。
【図３】コネクタを配設した基板及び基板取付体を示す分解斜視図である。
【図４】本実施の形態に係る基板取付体を示す斜視図である。
【図５】コネクタ台に取り付けた基板取付体を示す背面図である。
【図６】コネクタ台に取り付けた基板取付体及び筐体背面部を内側から視た状態を示す部分概略図である。
【図７】筐体背面部の内側に取り付けた基板取付体付きの基板を示す斜視図である。
【図８】筐体の背面端子部を示す斜視図である。
【符号の説明】
【００４３】
２  筐体
２ａ２  取付孔
２ｂ  孔
３ａ  縦位置決めリブ（縦位置決め部）
３ｂ  横位置決めリブ（横位置決め部）
３ｂ１  平板
４  基板
６  コネクタ
６ａ  コネクタ台
８  基板取付体
８ａ  端子孔
８ｄ、８ｅ  係合孔
【図１】
2008300413.tif 000003
【図２】
2008300413.tif 000004
【図３】
2008300413.tif 000005
【図４】
2008300413.tif 000006
【図５】
2008300413.tif 000007
【図６】
2008300413.tif 000008
【図７】
2008300413.tif 000009
【図８】
2008300413.tif 000010